(57)【要約】【課題】  移動中であっても最適な受信状態を自動的に得ることができるデジタル放送受信機を提供する。【解決手段】  デジタル放送の放送信号を受信し復調してデジタル信号を出力する第１及び第２の受信手段、現在地の位置情報を自動検出し、放送信号の受信可能地域を位置情報とともに記憶する記憶部を備えた位置情報取得手段、第１及び第２の受信手段が出力するデジタル信号を再生する再生手段、現在位置が、受信中の放送信号の受信可能地域であるか否かを判定し、受信可能地域ではないと判定したとき、受信する放送信号を記憶部に記憶されている受信可能地域の放送信号の中から現在位置に該当する地域の放送信号に切り替える制御手段、を有するデジタル放送受信機による。【選択図】図２
2010028430.tif 000002
【特許請求の範囲】
【請求項１】
デジタル放送の放送信号を受信し復調してデジタル信号を出力する第１及び第２の受信手段、
現在地の位置情報を自動検出し、放送信号の受信可能地域を上記位置情報とともに記憶する記憶部を備えた位置情報取得手段、
上記第１及び第２の受信手段が出力するデジタル信号を再生する再生手段、
現在位置が、受信中の放送信号の受信可能地域であるか否かを判定し、受信可能地域ではないと判定したとき、受信する放送信号を上記記憶部に記憶されている受信可能地域の放送信号の中から現在位置に該当する地域の放送信号に切り替える制御手段、を有するデジタル放送受信機。
【請求項２】
デジタル放送の放送信号を受信し復調してデジタル信号を出力する第１及び第２の受信手段、
現在地の位置情報を自動検出し、放送信号の受信可能地域を上記位置情報とともに記憶する記憶部を備えた位置情報取得手段、
上記第１及び第２の受信手段が出力するデジタル信号を再生する再生手段、
現在位置が、受信中の放送信号の受信可能地域であるか否かを判定し、受信可能地域ではないと判定したとき、上記第１または第２の受信手段のいずれかを用いて全スキャンを行い、受信する放送信号を当該位置で受信可能な放送信号の中から電波強度が最も強い放送信号に切り替える制御手段、を有するデジタル放送受信機。
【請求項３】
デジタル放送の放送信号を受信し復調してデジタル信号を出力する第１及び第２の受信手段、
現在地の位置情報を自動検出し、放送信号の受信可能地域を上記位置情報とともに記憶する記憶部を備えた位置情報取得手段、
上記第１及び第２の受信手段が出力するデジタル信号を再生する再生手段、
上記デジタル信号と上記記憶部に記憶された情報を合成して出力する画面合成手段、
現在位置が、受信中の放送信号の受信可能地域であるか否かを判定し、受信可能地域ではないと判定したとき、上記再生手段に出力する信号を上記画面合成手段が出力する信号に切り替える制御手段、を有するデジタル放送受信機。
【請求項４】
上記制御手段が、上記第１の受信手段または第２の受信手段によって取得した放送情報と、上記放送情報を取得したとき上記位置情報取得手段が取得した位置情報とともに上記記憶部に記憶させることを特徴とする請求項１乃至３のいずれかに記載のデジタル放送受信機。
【発明の詳細な説明】
【技術分野】
【０００１】
本発明は、移動中であっても最適な受信状態を自動的に得ることができるデジタル放送受信機に関するものである。
【背景技術】
【０００２】
放送を視聴しながら移動すると放送信号（放送電波）の受信可能地域（放送地域）から外れてしまい、視聴を継続することできなくなる。また、放送地域から外れる前には、受信している放送信号が弱くなり受信品質が劣化するので、映像や音声が乱れる。このようなとき、利用者は再度の選局操作（以下「再選局」とする）をし、視聴を続ける。また、受信可能地域内であっても、場所によって放送信号が弱く受信品質が悪化することがある。このようなときにも、利用者は再選局操作を行って視聴を続けることになる。従来のデジタル放送受信機は、利用者が再選局操作を手動で行っており、移動中に機器の操作を行わなければならない煩雑さがあった。また、利用者の状況によっては再選局操作をすることができず、視聴の継続が困難となることがあった。
【０００３】
そこで、２つのチューナーを搭載し、第１のチューナーは視聴する放送電波を受信し、第２のチューナーは、受信可能な全周波数帯域をスキャンして、当該地域で受信可能な放送局に関する情報をメモリに記憶し、このメモリに記憶した放送局に関する情報を用いて受信品質が悪化した第１のチューナーの再選局処理を自動に行うデジタル放送受信機が知られている（例えば特許文献１を参照）。
【０００４】
また、２つのチューナーを搭載したダイバーシティ方式のデジタル放送受信機であって、第１のチューナー及び第２のチューナーが受信中の放送信号の電波強度や受信品質を検知して、これらのいずれかまたは両方が悪化したときに、ダイバーシティ方式から単独受信方式に切り替えて、第１のチューナーは視聴中の放送信号の受信を継続し、第２のチューナーでは第１のチューナーが受信中の放送信号よりも電波強度や受信品質がよい他の放送信号を自動的に再選局し、再選局が終了した後に自動的にダイバーシティ方式に戻るデジタル放送受信機が知られている（例えば特許文献２を参照）。
【０００５】
【特許文献１】特開２００６−１３９４５号公報
【特許文献２】特開２００８−８５７５４号公報
【０００６】
上記特許文献１、２に記載されているデジタル放送受信機は、高速で移動するときに課題が生じる。すなわち、視聴中の放送局の電波強度の悪化を検出して再選局処理を行う場合、当該処理が終了する前に放送局の受信可能地域が変わってしまうことがある。このような場合は、再選局処理がなかなか終わらず、視聴可能状態になるまで時間がかかる。
【０００７】
また、高速で移動するとき以外にも課題がある。すなわち、特定の地域内でのみ利用する場合であっても、毎回、同じような位置で再選局処理が発生し、その度に全スキャンを行う必要がある。また、ダイバーシティ方式と単独受信方式の相互間で切り替えるものであっても、その切り替え処理が煩雑に発生することになり、その都度、劣化した受信感度での視聴を継続せざるを得なくなる。
【発明の開示】
【発明が解決しようとする課題】
【０００８】
本発明は、上記の課題を鑑みてなされたものであって、受信品質と受信位置に応じて最適な受信状態となる自動選局を行うことができるデジタル放送受信機を提供することを目的とする。
【課題を解決するための手段】
【０００９】
本発明は、デジタル放送の放送信号を受信し復調してデジタル信号を出力する第１及び第２の受信手段、現在地の位置情報を自動検出し、放送信号の受信可能地域を上記位置情報とともに記憶する記憶部を備えた位置情報取得手段、上記第１及び第２の受信手段が出力するデジタル信号を再生する再生手段、現在位置が、受信中の放送信号の受信可能地域であるか否かを判定し、受信可能地域ではないと判定したとき、受信する放送信号を上記記憶部に記憶されている受信可能地域の放送信号の中から現在位置に該当する地域の放送信号に切り替える制御手段、を有するデジタル放送受信機、を有することを特徴とする。
【００１０】
また、本発明は、デジタル放送受信機において、デジタル放送の放送信号を受信し復調してデジタル信号を出力する第１及び第２の受信手段、現在地の位置情報を自動検出し、放送信号の受信可能地域を上記位置情報とともに記憶する記憶部を備えた位置情報取得手段、上記第１及び第２の受信手段が出力するデジタル信号を再生する再生手段、現在位置が、受信中の放送信号の受信可能地域であるか否かを判定し、受信可能地域ではないと判定したとき、上記第１または第２の受信手段のいずれかを用いて全スキャンを行い、受信する放送信号を当該位置で受信可能な放送信号の中から電波強度が最も強い放送信号に切り替える制御手段、を有することを特徴とする。
【００１１】
さらに、本発明は、デジタル放送受信機において、デジタル放送の放送信号を受信し復調してデジタル信号を出力する第１及び第２の受信手段、現在地の位置情報を自動検出し、放送信号の受信可能地域を上記位置情報とともに記憶する記憶部を備えた位置情報取得手段、上記第１及び第２の受信手段が出力するデジタル信号を再生する再生手段、上記デジタル信号と上記記憶部に記憶された情報を合成して出力する画面合成手段、現在位置が、受信中の放送信号の受信可能地域であるか否かを判定し、受信可能地域ではないと判定したとき、上記再生手段に出力する信号を上記画面合成手段が出力する信号に切り替える制御手段、を有することを特徴とする。
【００１２】
上記制御手段が、上記第１の受信手段または第２の受信手段によって取得した放送情報と、上記放送情報を取得したとき上記位置情報取得手段が取得した位置情報とともに上記記憶部に記憶させてもよい。
【発明の効果】
【００１３】
本発明によれば、移動によって受信地域可能地域が変わっても、位置情報を用いて受信位置と受信可能な放送信号のうち、もっとも受信品質が良い放送信号を自動的に特定して受信を切り替えることができるので、利用者は、移動中に特定の操作を行うことなく、最適な受信状況の放送局を選択することができる。
【００１４】
また、日常的に使用している移動経路と受信可能な放送信号を関連付けて記憶（マイリスト）し、受信中の放送信号の電波強度の変化ではなく、位置情報の変化を優先してマイリストに記憶している放送信号に切り替えることで、頻繁に使用する経路では、位置の変化の先読みをして、よりスムーズに受信電波の切り替えをすることができるようになる。
【発明を実施するための最良の形態】
【００１５】
以下、本発明に係るデジタル放送受信機の実施形態について、図を用いて説明する。図１は、本発明に係るデジタル放送受信機（以下「受信機」とする）の機能ブロック図である。図１において、受信機１００は、デジタル放送の放送信号（放送電波）を選局して受信し、デジタル映像信号とデジタル音声信号を出力する第１及び第２の受信手段である受信部１及び受信部２、当該受信機１００の各機能ブロックを制御する制御部３、上記受信部１及び受信部２から出力されるデジタル映像信号とデジタル音声信号を復号化してディスプレイやスピーカなどに再生する再生部４、当該受信機１００の現在位置を検出して制御部３に通知し、制御部３からの指示によって当該位置における受信可能な放送信号に関する情報を出力する位置情報取得手段であるＧＰＳ部５を有してなる。
【００１６】
上記各機能ブロックについて説明する。図２に示すように受信部１は、放送信号を受信するアンテナ１１、受信した放送信号からＵＨＦ帯を濾過するＵＨＦフィルター１２、高周波増幅回路や検波回路などからなるチューナーフロントエンド１３、放送信号を復調してデジタル信号を出力するＯＦＤＭモジュレータ１４、多重化されているデジタル信号からデジタル映像信号とデジタル音声信号を出力するＴＳ−ＤＥＭＵＸ１５、受信可能な放送信号に関する情報（以下「放送情報」とする）を記憶するメモリ１６を有してなる。上記チューナーフロントエンド１３は、受信した放送信号の強度を示す電波強度信号を、後述するＣＰＵ３２に対して所定のタイミングで出力する。電波強度信号とは、たとえば、放送信号の受信強度が所定の閾値よりも高いときは「強」とし、この閾値と同等レベルのときは「中」とし、閾値を下回るときは「低」とする所定の情報である。
【００１７】
受信部２は図３に示すように、上記受信部１と同等の構成を備えるものであって、放送信号を受信するアンテナ２１、受信した放送信号からＵＨＦ帯を濾過するＵＨＦフィルター２２、高周波増幅回路や検波回路などからなるチューナーフロントエンド２３、放送信号を復調してデジタル放送信号を出力するＯＦＤＭモジュレータ２４、多重化されている放送信号からデジタル映像信号とデジタル音声信号を出力するＴＳ−ＤＥＭＵＸ２５、放送情報を記憶するメモリ２６を有してなる。上記チューナーフロントエンド２３は、受信した放送信号の強度を示す電波強度信号を、ＣＰＵ３２に対して所定のタイミングで出力する。
【００１８】
制御部３は図４に示すように、当該受信機１００の利用者が操作する図示しない操作スイッチによって、所定の動作指示を設定するコントロールスイッチ３１、コントロールスイッチ３１の設定によって各機能ブロックの動作制御をするＣＰＵ３２、再生部４に出力するデジタル映像信号及びデジタルオーディオ信号の入力元を切り替える切り替えスイッチ３３を備えている。
【００１９】
再生部４は図５に示すように、上記切り替えスイッチ３３を介して入力されるデジタル映像信号または、メモリ１６及びメモリ２６に記憶されている放送情報をビデオ信号として出力するＨ．２６４デコーダ４１及びビデオエンコーダ４３、また上記切り替えスイッチ３３を介して入力されるデジタル音声信号をオーディオ信号として出力するＡＡＣデコーダ４２、オーディオＤＡＣ４４及びオーディオアンプ４５を備えている。
【００２０】
ＧＰＳ部５は図６に示すように、ＧＰＳアンテナ５１、受信機１００の現在地の緯度及び経度（以下「位置情報」とする）を測定し上記ＣＰＵ３２に通知するＧＰＳ受信機５２と、位置情報に対応する放送情報を予め記憶して、上記ＣＰＵ３２の指示により記憶している放送情報を更新する位置情報メモリ５３を備えている。この位置情報メモリ５３に予め記憶される放送情報は、放送信号と、この放送信号を受信可能な地域に関する情報と、上記位置情報とが関連付けて構成されている情報群であって、上記の位置情報が特定されると、この位置情報に対応する少なくともひとつの放送情報が特定されるものである。
【００２１】
次に、本発明に係るデジタル放送受信機の動作について、図１１のフローチャートを用いて説明する。図１１において、各ステップをＳ１０、Ｓ１１、・・・として表記する。ここでは受信部１によって特定のデジタル放送を受信している場合を例とする。まず、上記ＧＰＳ受信機５２によって当該受信機１００の位置情報を取得し、この位置情報に対応する放送情報を位置情報メモリ５３から読み出して、メモリ１６に記憶されている放送情報と対比する（Ｓ１０）。対比した放送情報が合致すれば当該受信機１００は受信中の放送信号の受信可能地域内にあると判定して、視聴を継続する（Ｓ１０のＹｅｓ）。対比の結果、互いの放送情報が合致しなければ、当該受信機１００は受信中の放送信号に係る受信可能地域内にはなく、受信可能地域から外れていると判定して（Ｓ１０のＮｏ）、現在位置に対応する放送情報を位置情報メモリ５３からメモリ１６に転送し、メモリ１６に記憶されている放送情報を更新する（Ｓ１１）。
【００２２】
次に、ＣＰＵ３２はメモリ１６に記憶されている更新された放送情報から、最も受信状態が良い放送信号を選局するように受信部１のＴＳ−ＤＥＭＵＸ１５に指示をする。ＴＳ−ＤＥＭＵＸ１５は、ＣＰＵ３２の指示により、受信する放送信号を切り替える（Ｓ１２）。次に、切り替えた放送信号の電波強度信号をチューナーフロントエンド１３から取得してメモリ１６に記憶されている放送情報を更新するとともに、この電波強度信号が予め規定する閾値を下回るか否かを判定する（Ｓ１３）。閾値は、例えば、一定時間内に電波強度信号が「弱」を示した回数の許容値であって、受信中の放送信号の受信電波強度の低下傾向を検出することができればよい。
【００２３】
ここで、電波強度信号が閾値を上回るときは、当該放送信号の受信を継続する（Ｓ１３のＹｅｓ）。上記閾値を下回るときＣＰＵ３２は、受信部２に対してオートスキャン処理を指示する（Ｓ１４）。ここで、オートスキャン処理とは、放送信号の受信に用いていない受信部（ここでは受信部２が相当する）を用いて、当該受信地域における受信可能な全ての放送信号を取得して放送情報を生成する処理であって、各放送信号のチャンネル数及び電波強度信号を対応づけて取得する処理である。オートスキャン処理によって取得した放送情報をメモリ２６に記憶する（Ｓ１５）。次に、メモリ２６に記憶した放送情報において、受信部１が受信中の放送信号の電波強度信号よりも高いものであれば（Ｓ１６のＹｅｓ）、再生部４に出力するデジタル信号の出力元を受信部１から受信部２に切り替えて、この電波強度信号が高い放送信号を受信部２において受信して、再生部４にデジタル信号を出力するように、ＣＰＵ３２が切り替えスイッチ３３に指示をする（Ｓ１７）。これによって、安定した視聴を自動的に継続することができるようになる。
【００２４】
次に、本発明に係るデジタル放送受信機の別の実施形態について説明する。図７は、２つの受信部をダイバーシティ方式で動作させることができるデジタル放送受信機の例を示す機能ブロック図である。図７において、受信機２００は連携してダイバーシティ動作をすることができる受信部１ａ及び受信部２ａ、これら受信部の動作モードを指示する制御部３ａ、及び上記受信機１００と同様の構成である再生部４及びＧＰＳ部５を有してなる。
【００２５】
上記受信部１ａ及び受信２ａと制御部３ａの機能構成について、図８及び図９の機能ブロック図を用いて説明する。図８において、受信部１ａは、アンテナ１１、ＵＨＦフィルター１２、チューナーフロントエンド１３、ＯＦＤＭモジュレータ１４、ＴＳ−ＤＥＭＵＸ１５、メモリ１６のほか、チューナーフロントエンド１３とＯＦＤＭモジュレータ１４の間にスイッチ１７を有している。
【００２６】
スイッチ１７は、ＣＰＵ３２ａ（図９）の指示によってチューナーフロントエンド１３から出力される信号の出力先を受信部１ａのＯＦＤＭモジュレータ１４のみとするか（この動作状態を「通常モード」とする）、受信部２ａのＯＦＤＭモジュレータ２４にも出力し、受信部２ａのチューナーフロントエンド２３の出力とＯＦＤＭモジュレータ２４においてミックスして出力するか（この動作状態を「ダイバーシティモード」とする）を、ＣＰＵ３２の指示により切り替える。
【００２７】
受信部２ａも受信部１ａと同様に、チューナーフロントエンド２３とＯＦＤＭモジュレータ２４の間に、ＣＰＵ３２ａの指示によって、チューナーフロントエンド２３の出力先を切り替えるスイッチ２７をさらに有し、ＣＰＵ３２ａの指示によって通常モード、ダイバーシティモードでの動作を切り替えることができる。
【００２８】
ダイバーシティモードでの動作時は、例えばチューナーフロントエンド１３とチューナーフロントエンド２３から出力されるデジタル信号をＯＤＦＭモジュレータ１４またはＯＦＤＭモジュレータ２４においてミックスして復号化し、デジタル映像信号及びデジタル音声信号を再生部４に出力する。これら２つの入力信号を合成することで品質が良い映像信号及びオーディオ信号を再生することができる。
【００２９】
次に、上記受信機２００の動作について、図１２のフローチャートを用いて説明する。図１２において、各ステップをＳ２０、Ｓ２１、・・・として表記する。ここでは上記受信部１ａによって受信したデジタル放送をダイバーシティモードで受信している場合を例とする。まず、上記ＧＰＳ受信機５２によって当該受信機２００の位置情報を取得し、この位置情報に対応する放送情報を位置情報メモリ５３から読み出して、メモリ１６に記憶されている放送情報と対比する（Ｓ１０）。対比した放送情報が合致すれば当該受信機２００は受信中の放送信号の受信可能地域内にあると判定して、視聴を継続する（Ｓ２０のＹｅｓ）。対比の結果、互いの放送情報が合致しなければ、当該受信機２００は視聴中の放送信号に係る受信可能地域内にはなく、受信可能地域から外れていると判定して（Ｓ２０のＮｏ）、現在位置に対応する放送情報を位置情報メモリ５３からメモリ１６に転送し、メモリ１６に記憶されている放送情報を更新する（Ｓ２１）。
【００３０】
次に、ＣＰＵ３２ａはメモリ１６に記憶されている放送情報から、最も受信状態が良い放送信号を選局するように受信部１ａのＴＳ−ＤＥＭＵＸ１５に指示をする。ＴＳ−ＤＥＭＵＸ１５は、ＣＰＵ３２ａの指示により、受信する放送信号を切り替える（Ｓ２２）。次に、切り替えた放送信号の電波強度信号をチューナーフロントエンド１３から取得してメモリ１６に記憶されている放送情報を更新するとともに、この電波強度信号が予め規定する閾値を下回るか否かを判定する（Ｓ２３）。閾値は、例えば、一定時間内に電波強度信号が「弱」を示した回数の許容値であって、受信中の放送信号の受信電波強度の低下傾向を検出することができればよい。
【００３１】
ここで、電波強度信号が閾値を上回るときは、当該放送信号の受信を継続する（Ｓ２３のＹｅｓ）。上記閾値を下回るときＣＰＵ３２ａは、切り替えスイッチ１７に指示をして、チューナーフロントエンド１３から出力される受信信号をＯＤＦＭモジュレータ１４にのみ出力する通常モードへ切り替える（Ｓ２４）。次に、ＣＰＵ３２ａが受信部２ａに対してオートスキャン処理を指示し（Ｓ２５）、取得した放送情報をメモリ２６に記憶する（Ｓ２６）。次に、メモリ２６に記憶した放送情報における電波強度信号が、受信部１において受信中の放送信号の電波強度信号よりも高いものであれば（Ｓ２７のＹｅｓ）、再生部４に出力するデジタル信号の出力元を受信部１ａから受信部２aに切り替えて、この電波強度信号が高い放送信号を受信部２ａにおいて受信して再生部４にデジタル信号を出力するように、ＣＰＵ３２ａが切り替えスイッチ３３に指示をする（Ｓ２８）。
【００３２】
受信する放送信号が決定した後に、ＣＰＵ３２ａは切り替えスイッチ１７及び２７に指示をし、チューナーフロントエンド２３の出力をＯＦＤＭモジュレータ２４に出力し、チューナーフロントエンド１３の出力信号をＯＦＤＭモジュレータ２４に出力して、ダイバーシティモードに切り替える（Ｓ２９）このように、ダイバーシティ動作をする受信機２００において、受信地域を外れて再スキャンをする場合に、ダイバーシティモードからシングル受信モードに切り替えて、一方の受信部を使用して視聴を継続し、他の一方の受信部を使用して、最適な放送局を選択し、次にこの他の一方の受信部にて受信している放送信号を用いてダイバーシティモードで動作するように、切り替えることができ、自動的に最適な放送を視聴することができるようになる。
【００３３】
次に、本発明に係るデジタル放送受信機のさらに別の実施形態について説明する。図１０は本発明のさらに別の実施例に係る制御部３ｂの機能ブロック図である。図１０に示すように、制御部３ｂは、上記受信機１００または受信機２００の制御部３に画面合成部３４を付加したものである。画像合成部３４は、ＣＰＵ３２の指示により動作をし、受信部１（または受信部２）が出力するデジタル映像信号と、メモリ２６（またはメモリ１６）に記憶されている放送情報を基に受信部２（または受信部１）で受信して出力する映像信号を入力として、これらを合成したデジタル映像信号を出力するものであって、切り替えスイッチ３３ａを介して再生部４に出力する。再生部４に接続する図示しない画像表示装置には、１画面に受信部１（または受信部２）が受信している放送信号に係る映像と、メモリ２６（またはメモリ１６）に記憶されている放送情報が同時に区別されて表示される。
【００３４】
また、制御部３ｂが有する切り替えスイッチ３３ａは、ＣＰＵの指示により、画面合成部３４が出力する信号、受信部１が出力する信号、受信部２が出力する信号のいずれかを選択的に切り替えて再生部４に出力するスイッチである。
【００３５】
上記制御部３ｂを備えた受信機１００におけるデジタル放送受信機の動作について、図を用いて説明する。図１３は、図１１及び図１２を用いて説明した放送局切り替え処理（図１１のＳ１１及びＳ１７、図１２のＳ２２及びＳ２８）のより詳細な処理の流れを示すフローチャートである。放送局の切り替え処理が開始されると、まず、ＣＰＵ３２の指示により画面合成モードに移行し（Ｓ３０）、放送信号を受信している受信部（１または２）が出力する映像信号と、放送信号を受信していない受信部のメモリ（２６または１６）に記憶されている放送情報を基に受信部２（または受信部１）で受信して出力する映像信号を、画面合成部３４において合成し、この合成されたデジタル信号を、切り替えスイッチ３３ｂを介して再生部４に出力する（Ｓ３１）。
【００３６】
ここで、放送局を切り替えるタイミングでなければ（Ｓ３２のＮｏ）、映像と放送情報を表示する画面合成モードを継続する。受信中の放送信号を切り替えるタイミングであれば（Ｓ３２のＹｅｓ）、所定の処理によって切り替え先となる放送局を受信するように切り替え処理を行い（Ｓ３３）、画面表示を合成モードから通常モードに移行する（Ｓ３４）。Ｓ３２における所定のタイミングによる切り替えとは、画面合成モードに移行してから一定時間を経過したときに、電波強度信号が最も高い放送信号を自動的に選択して切り替えること、または、利用者がコントロールスイッチ３１を操作することによって放送信号を選択して切り替えることのいずれかで良い。
【００３７】
このように、上記制御部３ｂを備えた受信機１００また受信機２００によれば、受信部１（または受信部１ａ）から出力される映像信号のみを再生部４において出力するモード、受信部１（または受信部１ａ）における映像信号を出力中に、電波受信強度が劣化したときに受信部２（または受信部２ａ）において、より電波受信強度が強い放送信号を取得して、受信部２（または受信部２ａ）から出力される映像信号のみを再生部４に出力するモード、受信部１ａ及び受信部２ａから出力される映像信号を合成してダイバーシティモードで動作するモードの他に、受信中の放送信号を切り替えるときに、視聴している映像信号とともに次に選択可能な放送情報を１画面に合成して出力することができるようになる。これによって、利用者は視聴を継続するために、次に選択する放送信号を視覚的に選択することができ利便性が良いデジタル放送受信機を得ることができる。
【００３８】
次に、本発明に係るデジタル放送受信機のさらに別の実施形態について説明をする。上記受信機１００または受信機２００は、ＧＰＳ部５が備える位置情報メモリ５２に記憶する放送情報を利用者によって簡易に設定することもできる。図１４は利用者が位置情報メモリ５２に記憶する放送情報を取得する処理の流れを示すフローチャートである。図示しない操作スイッチによって「マイリスト取得モード」を選択すると、ＣＰＵ３２は受信部１または受信部２にオートスキャン処理の指示をする（Ｓ４０）。
【００３９】
次に、オートスキャンによって取得した受信可能な放送信号のうち、最も受信電波強度が高い放送信号に係る放送情報を取得する（Ｓ４１）。次に、上記放送情報を取得したときの位置情報をＧＰＳ受信機５２によって取得する（Ｓ４２）。これら取得した放送情報と位置情報を関連付けてメモリ５２に記憶する。この動作は、学習モードを終了する操作が行われるまで一定の時間間隔をもって継続的に行う。
【００４０】
利用者は上記の動作を日常的にしようする移動ルートにおいて行うことで、移動することで受信電波強度が低下する前に、位置情報に関連して最も受信電波強度が高かった放送信号を受信するように、自動的に受信を切り替えることができるので、切り替え処理が素早く、品質がよい放送を受信することが容易にできるようになる。
【図面の簡単な説明】
【００４１】
【図１】本発明に係るデジタル放送受信機の第１の実施例を示す機能ブロック図である。
【図２】上記移動体用デジタル受信機が備える第１受信部の例を示す機能ブロック図である。
【図３】上記移動体用デジタル受信機が備える第２受信部の例を示す機能ブロック図である。
【図４】上記移動体用デジタル受信機が備える制御部の例を示す機能ブロック図である。
【図５】上記移動体用デジタル受信機が備える再生部の例を示す機能ブロック図である。
【図６】上記移動体用デジタル受信機が備える制御部の例を示す機能ブロック図である。
【図７】本発明に係るデジタル放送受信機の第２の実施例を示す機能ブロック図である。
【図８】上記移動体用デジタル受信機の第２の実施例が備える受信部の例を示す機能ブロック図である。
【図９】上記移動体用デジタル受信機が備える制御部の例を示す機能ブロック図である。
【図１０】本発明に係るデジタル放送受信機が備える第３の実施例における制御部の例を示す機能ブロック図である。
【図１１】上記第１の実施例におけるデジタル放送受信機の処理の流れの例を示すフローチャートである。
【図１２】上記第２の実施例におけるデジタル放送受信機の処理の流れの例を示すフローチャートである。
【図１３】上記第３の実施例におけるデジタル放送受信機の処理の流れの例を示すフローチャートである。
【図１４】本発明に係るデジタル放送受信機の第４の実施例の処理の流れの例を示すフローチャートである。
【符号の説明】
【００４２】
１  第１の受信部
２  第２の受信部
３  制御部
４  再生部
５  ＧＰＳ部（位置情報取得手段）
【図１】
2010028430.tif 000003
【図２】
2010028430.tif 000004
【図３】
2010028430.tif 000005
【図４】
2010028430.tif 000006
【図５】
2010028430.tif 000007
【図６】
2010028430.tif 000008
【図７】
2010028430.tif 000009
【図８】
2010028430.tif 000010
【図９】
2010028430.tif 000011
【図１０】
2010028430.tif 000012
【図１１】
2010028430.tif 000013
【図１２】
2010028430.tif 000014
【図１３】
2010028430.tif 000015
【図１４】
2010028430.tif 000016